(57)【要約】【目的】  用紙の処理装置における破砕片排出口の排出状態を容易に確認できるようにし、かつ破砕片が回収箱に蓄積される状態を把握して用紙の処理を円滑に続ける処理装置を提供する。【構成】  外装体１２の一部であって、回転刃６ａ，６ｂの下部に設けられた用紙の排出口と回収箱１１を確認できる位置に開口部１５を設ける。開口部１５には開閉自在な開閉部材１６を設ける。開閉部材１６はポリカーボネイト等の内部が可視可能な樹脂で構成されており、内部の破砕チップ１０を定量的に把握できるようにレベルゲージ２０が設ける。開閉部材１６には静電気を防止するために導電処理が施されている。また破砕チップ１０の排出口と回収箱１１の内部を容易に確認できるように照明２２を設けており、開閉部材１６を開閉することで照明２２はＯＮ／ＯＦＦ可能に構成されている。【選択図】  図７
2006150168.tif 000002
【特許請求の範囲】
【請求項１】
用紙を投入するための投入口と
投入した用紙を破砕するための破砕部と
破砕された用紙が排出されるための排出口と
排出された用紙を収納する回収箱と
外装体を設けた用紙の処理装置において、
前記外装体には前記排出口と前記収納箱が確認できる位置に開口部を設けたことを特徴とする用紙の処理装置。
【請求項２】
前記開口部には開閉自在な開閉部材を設けたことを特徴とする請求項１記載の用紙の処理装置。
【請求項３】
前記開閉部材は内部を確認できる可視部材であることを特徴とする請求項２記載の用紙の処理装置。
【請求項４】
前記可視部材には回収箱に蓄積したチップの量を表示するための表示線を設けたことを特徴とする請求項３記載の用紙の処理装置。
【請求項５】
前記開閉可能な可視部材には静電防止処理が施されていることを特徴とする請求項３記載の用紙の処理装置。
【請求項６】
前記排出口と前記回収箱を照らすための照明を設けたことを特徴とする請求項１から請求項５記載の用紙の処理装置。
【請求項７】
前記排出口と前記回収箱を照らすための照明は、
前記開閉自在な開口部に設けられたスイッチにより動作可能であることを特徴とする請求項６記載の用紙の処理装置。
【請求項８】
前記排出口と回収箱を照らすための照明は低発熱照明であることを特徴とする請求項６記載の用紙の処理装置。
【発明の詳細な説明】
【技術分野】
【０００１】
本発明は、用紙を破砕し破砕されたチップを回収箱に収納する用紙の処理装置であり、用紙の排出と蓄積処理に関するものである。
【背景技術】
【０００２】
近年、オフィスや家庭の中では複写機やプリンタの発達に伴い、文字情報や画像情報などは容易にドキュメント化されるようになった。それらドキュメントは１枚または数枚で扱われておりクリップで束ねたり、枚数が多くなるとグループ毎に分類してファイルに綴じ保管されている。これらのドキュメントの中には不特定多数の人間が自由に見られるものの他、関係者以外の者に見られては不都合な文書、いわゆる機密文書も多く扱われている。
【０００３】
昨今ではパーソナルコンピュータ（ＰＣ）の普及に伴い、それまで紙で保管されていた機密情報は電子文書として保管されるようになってきた。機密情報は例えば電子メールなどの電子媒体を使って授受され、一度もドキュメント化されずにＰＣ内にあるハードディスクなどの電子記録媒体に記録され保管されつつある。このような技術と管理方法の進歩で、それまで保管されていたドキュメントによる機密文書は陳腐化し、処分の需要が大きく高まってきた。
【０００４】
機密文書の処分方法としてはシュレッダで処理することが知られている。シュレッダ処理された文書は細かく破砕され、その破砕チップの形状はヌードル状、短い長方形、ひし形、小縒り、不定形の小片など様々であり、いずれも文章の繋がりが容易に判別できない程度に破砕され他人が容易に読めない形で排出される。
【発明の開示】
【発明が解決しようとする課題】
【０００５】
このようにシュレッダ処理が行われ、特に企業内などでシュレッダ機器の稼働率が極めて高い場合、機器内部に設けられた破砕チップの排出口から回収箱に落下するまでに目詰まりを起こしやがて停止してしまうことがあった。この原因のひとつとして付箋紙など用紙に粘着性の物質が付いたものを破砕した場合、その粘着により回転刃や周辺部にチップが絡みつき、自然落下せずにやがて大きな固まりとなってしまうことがあげられる。
【０００６】
また破砕チップを圧縮処理した後に排出ダクトを用いて回収箱に排出するシュレッダの場合、回収箱の一箇所に圧縮された破砕チップが堆積してしまい、徐々に回収箱に連なってダクト内で詰まってしまうことがあった。
【０００７】
そして破砕されたチップは細かくなってそれ自身が動きやすくなることから、摩擦による静電気が起きやすくなる。このため特に空気が乾燥している場合には回収箱や筐体の側面に付着してしまうことがあった。
【０００８】
さらに回収箱内の破砕チップ量を確認するためには本体の扉を開けなければならず、不用意に扉を開けると安全装置が作動して機器が緊急停止して作業が中断するばかりか急停止のため機器に負荷をかけることがあった。
【０００９】
そして外装に用いられる筐体は圧延鋼板に化粧塗装されているため、機器の内部には外光が入らない構造となっている。使用者が回収箱内の破砕チップを確認するために扉を開けても特に薄暗い部屋に機器が設置されている場合は、十分な光量が入り込まず、チップ量を確認が困難なことがあった。
【００１０】
ここで従来の技術として特許文献１記載の用紙の処理装置がある。これは裁断手段から放出される裁断片を受け入れるホッパであって、かつそれを案内するシュータの傾斜下端に目視可能な覗き窓を設けたものである。この覗き窓は裁断刃の交換時期と装置を停止させることなく把握することを目的としている。このようにホッパに取り付け目視する構成においては、排出口以降で破砕チップの目詰まりを起こした場合には使用者自らが詰まったチップを除去して円滑に破砕を続けることは極めて困難である。
【００１１】
【特許文献１】特開平６−２０６００１号公報
【００１２】
本発明は以上の問題を鑑み、用紙の処理装置における破砕片排出口の排出状態を容易に確認できるようにし、かつ破砕片が回収箱に蓄積される状態を把握して円滑に用紙の処理を行える用紙の処理装置を提供する。
【課題を解決するための手段】
【００１３】
斯かる目的を達成するための本発明が提供する用紙の処理装置は、
用紙を投入するための投入口と投入した用紙を破砕するための破砕部と破砕された用紙が排出されるための排出口と排出された用紙を収納する回収箱と外装体で構成されており、
前記外装体には前記排出口と前記収納箱が確認できる位置に開口部を設けた用紙の処理装置であり、
前記開口部には開閉自在な開閉部材を設けた用紙の処理装置であり、
前記開閉部材は内部を確認できる可視部材である用紙の処理装置であり、
前記可視部材には回収箱に蓄積したチップの量を表示するための表示線を設けた用紙の処理装置であり、
前記開閉可能な可視部材には静電防止処理が施されている用紙の処理装置であり、
前記排出口と前記回収箱を照らすための照明を設けた用紙の処理装置であり、
前記排出口と前記回収箱を照らすための照明は、前記開閉自在な開口部に設けられたスイッチにより動作可能である用紙の処理装置であって、
前記排出口と回収箱を照らすための照明は低発熱照明である用紙の処理装置である。
【発明の効果】
【００１４】
本発明の請求項１記載の発明では、用紙の破砕チップが確認できる位置に開口部を設けたので、排出口から回収箱までの破砕チップの詰まりを容易に確認することができる。また破砕機本体の扉を開けずに開口部から作業できるようにしたので、詰まった破砕チップを容易に取り除けるようにできる。
【００１５】
本発明の請求項２記載の発明では、開口部に開閉自在な開閉部材を設けることで、紙粉や破砕チップが特に飛散する場合には、外部に破砕チップをこぼすこと無く必要な時に容易に排出口と回収箱のチップ状態を確認できる。
【００１６】
本発明の請求項３記載の発明では、開閉部材は排出口が確認可能な可視部材で設けたので、シュレッダ本体の扉や開閉部材を開けなくてもチップの排出口や回収箱のチップ状態を確認することができる。
【００１７】
本発明の請求項４記載の発明では、可視部材には回収箱に蓄積したチップの量を表示するための表示線を設けたので、回収箱の破砕チップ量を定量的に判断することができる。
【００１８】
本発明の請求項５記載の発明では、開閉可能な可視部材には静電防止処理が施されているので、可視部材への紙粉や破砕チップの付着を防止して内部の視認性を常に高めることができる。
【００１９】
本発明の請求項６記載の発明では、排出口や回収箱内部を照らすための照明を設けたので、内部に十分な明るさが確保でき確実にチップの状態を把握できるようになる。
【００２０】
本発明の請求項７記載の発明では、開閉自在な開口部にスイッチを設けて内部照明の点灯消灯可能にしたので、確認の度にスイッチ操作をすることがなく常に良好な状態で用紙の排出口と回収箱の状態を確認できる。
【００２１】
本発明の請求項８記載の発明では、回収箱を照らすための照明は低発熱照明によって構成されているので、機器内部の温度上昇防止や発火などの要因を防ぐことができる。
【発明を実施するための最良の形態】
【００２２】
以下、本発明を実施例に基づいて詳細に説明する。
【実施例】
【００２３】
図１は本発明の用紙の処理装置の構成を示す斜視図であり、図２は本発明による用紙の処理装置を示す正面図である。図３は図２のＡ−Ａ’の断面図であり、図４は本発明による排出口から回収箱の破砕チップ状態を示す状態図である。図５は本発明による用紙の処理装置の他の実施例を示す状態図であり、図６は本発明による用紙の処理装置の他の実施例を示す構成図である。そして図７は本発明図６の動作状態を示す構成図である。以下、図に基づき詳細に説明する。
【００２４】
シュレッダ本体の上部にはトップカバー１が設けられ、用紙を投入するための投入口２が設けられている。またトップカバー１には機器を操作するためのコントロールパネル３が設けられており、破砕の開始／停止を行うためのボタン４が設けられている。
【００２５】
投入口２から投入された用紙は自由落下と本体内部に設けられた用紙ガイド５ａ，５ｂによって下方に導かれ、回転刃６ａと回転刃６ｂの噛込部８に到達する。回転刃６ａと回転刃６ｂは図示しない駆動モータにより互いに内側に向かって回転しており、回転刃６ａと回転刃６ｂは回転軸方向に２０枚の回転刃が配置されていて交互に交差するよう設けられている。用紙が噛込部８に到達するとその回転運動で順次細断され破砕チップ１０となり、回転刃６ａと回転刃６ｂの下方に落下していく。噛込部８から破砕チップとなった用紙は保護フィルタ９を通過する。保護フィルタ９は一定回転刃６ａ，回転刃６ｂに誤って指などが入り込まないよう一定間隔を置きながら複数本配置されている。保護フィルタ９を通過した破砕チップ１０は回収箱１１に入り、徐々に堆積を始めていく。
【００２６】
本体は外装体１２ａ，１２ｂ，１２ｃ，１２ｄによって紙粉や紙片に飛散させないようにその周囲を囲まれており、また使用者は機器内部に触れられないようになっている。本体の正面部には固定された外装体１２ａの下方部にドア１３が設けられており、ドア１３は取手１４を引くことで開閉可能に設けられている。ドア１３を開けることで回収箱１１を取り出せるようにしている。なおドア１３は本体側に設けられた図示しないマグネットにより閉じた状態を保持するように構成されている。そして外装体１２ａの下方には破砕部８から排出される破砕チップ１０と回収箱１１の破砕チップ１０の状態が見えるように開口部１５が設けられている。この開口部１５は回転刃６ａ，回転刃６ｂよりも略水平から下方に設けると破砕チップ１０の状態と回収箱１１内の破砕チップの状態が同時に見られて好適である。
【００２７】
破砕チップ１０が詰まった場合には開口部１５から図示しない棒状の清掃部材を差し込み、回転刃６ａや回転刃６ｂの周囲をクリーニングすることで紙詰まりを解消する。棒状部材を差し込む時は停止ボタンを押して機器を停止させてから操作するが、保護フィルタ９に検知センサを取り付けることで自動停止できるように設けても良い。回収箱１１に破砕チップ１０が満杯になった時には扉１３に設けた取っ手１４を引いて扉を開ける。そして回収箱１１を取り出して破砕チップ１０を処理することができる。図３に例示したように破砕チップ１０が堆積すると開口部１５から堆積状態が確認できるようになり、回転刃６ａ，６ｂ下方の排出チップの状態も確認できるようになる。開口部１５の大きさは紙片が外部に飛散しない程度に構成すると良い。
【００２８】
なお、シュレッダによっては開口部１５が常時開口されていると不都合な場合がある。例えば紙片の大きさが細かくて外部に飛散しやすい時や、紙の重量が極めて軽い伝票のように舞いやすい時、そして紙粉が発生しやすい紙片のシュレッダなどの場合のために開口部１５に開閉自在な開閉部材１６が設けられている。開閉部材１６は本体１２ａとヒンジ１８で固定されており、ヒンジ１８にはトーションバネ１９を設けて通常状態では閉じるように構成されている。開閉部材１６には開閉操作を行い易いようにハンドル１７が設けられている。
【００２９】
また、開閉部材１６は閉じた状態でも内部の観察ができるよう可視部材で構成されている。可視部材の材質としてはプラスチック樹脂やガラスなどが上げられる。本発明の場合は衝撃に強く耐熱・耐低温性や透明度が良いポリカーボネイトで構成している。可視部材は透明度が高いものを用いる他に、適度な着色を行うことでオフィス機器に適したデザインを醸し出すようになる。
【００３０】
開閉部材に可視部材を用いる場合、回収箱１１の破砕チップ量がわかるようにレベルゲージ２０が設けられている。回収箱１１に溜まった用紙は使用者の個人差で満杯と判断しかねる場合があり、特に力の弱い使用者が満杯となった破砕チップ１０を処理するのに困難なことがある。そこでレベルゲージ２０を設けることでどの使用者でも定量的に破砕チップ１０の量を判断することができ、シュレッダの破砕処理においても紙詰まりを解消できるものである。本発明の場合は可視部材の透過度を７０％としたブラウン色とし、レベルゲージ２０は白色を用いることで視認性を向上させている。
【００３１】
また、可視部材にプラスチック樹脂を用いた場合は静電気による影響を軽減させるために導電性処理が施されている。破砕されたチップは小さくなるために動く自由度が大きくなり、他の破砕チップと擦り合うことで静電気を帯びてしまうことがある。可視部材にポリカーボネイトやアクリル系樹脂を用いる場合は金属である外装体１２ａ，１２ｂ，１２ｃ，１２ｄに比べ電気絶縁抵抗が高くなるため、帯電力に差が生じた時に可視部材に紙片や紙粉が付着しやすい状態となることがある。この現象を防止するために可視部材には導電性微粒子を表面処理したものを用い、さらに外装体１２と電気的に接続することで外装体１２との電位差を無くして静電気による破砕チップ１０の付着を極力防止している。また導電性処理として導電性フィルムを貼り付けることでも同様の効果が図れる。
【００３２】
そして破砕チップの排出部と回収箱１１を照らすように台座２１ａ，２２ｂには照明２２ａ，２２ｂが設けられている。照明２２ａ，２２ｂは外装体１２ａ，１２ｂ，１２ｃ，１２ｄの内側面に取り付けられており図示しないハーネスで電源に接続されている。照明２２ａ，２２ｂはコントロールパネル２に設けた操作部でＯＮ／ＯＦＦできるように設けられており、排出チップ１０を確認したい場合には使用者によりＯＮできるように取り付けている。照明２２ａ，２２ｂの輝度が十分な場合は１個以上または適度な輝度が得られるように複数個取り付ければ良い。
【００３３】
また照明２２ａ，２２ｂは開閉部材１６を開閉することでＯＮ／ＯＦＦできるスイッチ２３が支持部材２４によって外装体１２ａに取り付けられている。スイッチ２３は一般的なマイクロスイッチで構成されており、図５に例示したよう開閉部材１６が閉じられている状態ではＯＦＦになるように構成されている。図６に例示したように開閉部材１６が開けられた時には、図示しないハーネスで回路が閉じて電源が供給される。こうすることで使用者はコントロールパネル３から照明２２ａ，２２ｂの操作をすることが無くなるので効率的に破砕チップ１０を観察することが可能である。
【００３４】
なお、照明２２ａ，２２ｂには熱を発生しない照明、発光ダイオード（ＬＥＤ）を用いると良い。シュレッダの中には破砕モータや圧縮モータなど発熱部が設けられており、特に厚紙などの破砕時に破砕モータに負荷がかかる状態で長時間運転を続けると、モータ部が高温になる場合がある。このような状態で内部に発熱電球など発熱量の大きいものを採用すると機内の温度が上昇し、使用者に不要な心配をかけることになる。そこで本発明の場合は内部に高輝度ＬＥＤを採用することで機内の温度上昇を防止して発熱による発火などの恐れを無くすことができる。
【００３５】
以上、本発明による実施例を詳細に説明したが、照明２２の数や取付位置は破砕チップの排出口や回収箱の破砕チップの状態が見られるように適宜調整して設けると良い。また本発明の場合、照明２２のＯＮ／ＯＦＦはスイッチ２３にマイクロスイッチを用いたが、透過型光学センサや電磁センサなどを用いても同様の作用効果を得ることができる。そして本発明では開口部１５を外装体１２ａの正面部に構成したが、外装体の側面１２ｂや１２ｄの一部分もしくは正面部と側面部に複数個設けることや、形状についても排出口から回収箱にかけて縦長に設けることや、丸型、正方形、星型などもしくはそれらを組み合わせ見易く構成することで、破砕処理の確認をより円滑に行うことが可能となる。さらに開口部１５に設けられた開閉部材１６は外装体よりも外側に開くように構成してもよく、内部に設けた他の機器などと干渉してしまう場合に効果的である。
【図面の簡単な説明】
【００３６】
【図１】本発明による用紙の処理装置の構成を示す斜視図。
【図２】本発明による用紙の処理装置の正面図。
【図３】図２のＡ−Ａ’断面図。
【図４】本発明による用紙の処理装置の破砕チップの状態を示す状態図。
【図５】本発明による用紙の処理装置の他の実施例を示す状態図。
【図６】本発明による用紙の処理装置の他の実施例を示す構成図。
【図７】図６の動作を示す構成図。
【符号の説明】
【００３７】
１・・・トップカバー
４・・・ボタン
６ａ，６ｂ・・・回転刃
９・・・保護フィルタ
１２ａ，１２ｂ，１２ｃ，１２ｄ・・・外装体
１０・・・破砕チップ
１１・・・回収箱
１５・・・開口部
１６・・・開閉部材
２２・・・照明
２３・・・スイッチ
２０・・・レベルゲージ
【図１】
2006150168.tif 000003
【図２】
2006150168.tif 000004
【図３】
2006150168.tif 000005
【図４】
2006150168.tif 000006
【図５】
2006150168.tif 000007
【図６】
2006150168.tif 000008
【図７】
2006150168.tif 000009